【手続補正書】
【提出日】平成17年6月16日(2005.6.16)
【手続補正１】
【補正対象書類名】明細書
【補正対象項目名】発明の名称
【補正方法】変更
【補正の内容】
【発明の名称】撮像システムおよび撮像システムの制御方法
【手続補正２】
【補正対象書類名】明細書
【補正対象項目名】特許請求の範囲
【補正方法】変更
【補正の内容】
【特許請求の範囲】
【請求項１】
撮像素子と、前記撮像素子から出力される信号を記録するメモリとを有する撮像ユニットと、前記撮像ユニットに接続され、前記メモリにアクセスする手段を有する情報処理装置とを備えた撮像システムであって、
前記撮像素子が撮像を開始してから所定時間の間は前記情報処理装置から前記撮像ユニットへのアクセスを禁止することを特徴とする撮像システム。
【請求項２】
前記撮像素子から出力される信号を前記メモリに記録するまでの時間に関する記録時間情報を前記撮像ユニットから前記情報処理装置に出力し、前記所定時間は前記記録時間情報に基づいて算出することを特徴とする請求項１に記載の撮像システム。
【請求項３】
前記撮像ユニットが前記情報処理装置に接続された場合に、前記記録時間情報を前記撮像ユニットから前記情報処理装置に出力することを特徴とする請求項２に記載の撮像システム。
【請求項４】
前記撮像ユニットのモードが変更された場合に、前記記録時間情報を前記撮像ユニットから前記情報処理装置に出力することを特徴とする請求項２に記載の撮像システム。
【請求項５】
前記撮像ユニット上の前記撮像素子が変更された場合に、前記記録時間情報を前記撮像ユニットから前記情報処理装置に出力することを特徴とする請求項２に記載の撮像システム。
【請求項６】
前記撮像素子から出力される信号の前記メモリへの記録が完了したかを示すフラグを有し、前記フラグに対して前記情報処理装置から繰り返しアクセスすることにより、前記撮像素子から出力される信号を前記メモリに記録するための時間に関する記録時間情報を求め、前記所定時間は前記記録時間情報に基づいて算出することを特徴とする請求項１に記載の撮像システム。
【請求項７】
前記所定時間を算出した後は、前記情報処理装置から前記フラグに対してアクセスしないことを特徴とする請求項６記載の撮像システム。
【請求項８】
撮像素子と、前記撮像素子から出力される信号を記録するメモリとを有する撮像ユニットと、前記撮像ユニットに接続され、前記メモリにアクセスする手段を有する情報処理装置とを備えた撮像システムの制御方法であって、
前記撮像素子が撮像を開始してから所定時間の間は前記情報処理装置から前記撮像ユニットへのアクセスを禁止することを特徴とする撮像システムの制御方法。
【請求項９】
前記撮像素子から出力される信号を前記メモリに記録するまでの時間に関する記録時間情報を前記撮像ユニットから前記情報処理装置に出力し、前記所定時間は前記記録時間情報に基づいて算出することを特徴とする請求項８に記載の撮像システムの制御方法。
【請求項１０】
前記撮像ユニットが前記情報処理装置に接続された場合に、前記記録時間情報を前記撮像ユニットから前記情報処理装置に出力することを特徴とする請求項９に記載の撮像システムの制御方法。
【請求項１１】
前記撮像ユニットのモードが変更された場合に、前記記録時間情報を前記撮像ユニットから前記情報処理装置に出力することを特徴とする請求項９に記載の撮像システムの制御方法。
【請求項１２】
前記撮像ユニット上の前記撮像素子が変更された場合に、前記記録時間情報を前記撮像ユニットから前記情報処理装置に出力することを特徴とする請求項９に記載の撮像システムの制御方法。
【請求項１３】
前記撮像素子から出力される信号の前記メモリへの記録が完了したかを示すフラグを有し、前記フラグに対して前記情報処理装置から繰り返しアクセスすることにより、前記撮像素子から出力される信号を前記メモリに記録するための時間に関する記録時間情報を求め、前記所定時間は前記記録時間情報に基づいて算出することを特徴とする請求項８に記載の撮像システムの制御方法。
【請求項１４】
前記所定時間を算出した後は、前記情報処理装置から前記フラグに対してアクセスしないことを特徴とする請求項１３記載の撮像システムの制御方法。
【手続補正３】
【補正対象書類名】明細書
【補正対象項目名】０００８
【補正方法】変更
【補正の内容】
【０００８】
【課題を解決するための手段】
上述した課題を解決し、目的を達成するために、本発明に係わる撮像システムは、撮像素子と、前記撮像素子から出力される信号を記録するメモリとを有する撮像ユニットと、前記撮像ユニットに接続され、前記メモリにアクセスする手段を有する情報処理装置とを備えた撮像システムであって、前記撮像素子が撮像を開始してから所定時間の間は前記情報処理装置から前記撮像ユニットへのアクセスを禁止することを特徴としている。
【手続補正４】
【補正対象書類名】明細書
【補正対象項目名】０００９
【補正方法】変更
【補正の内容】
【０００９】
また、本発明に係わる撮像システムの制御方法は、撮像素子と、前記撮像素子から出力される信号を記録するメモリとを有する撮像ユニットと、前記撮像ユニットに接続され、前記メモリにアクセスする手段を有する情報処理装置とを備えた撮像システムの制御方法であって、前記撮像素子が撮像を開始してから所定時間の間は前記情報処理装置から前記撮像ユニットへのアクセスを禁止することを特徴としている。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】
【手続補正４２】
【補正対象書類名】明細書
【補正対象項目名】００４７
【補正方法】削除
【補正の内容】
【手続補正４３】
【補正対象書類名】明細書
【補正対象項目名】００４８
【補正方法】削除
【補正の内容】
【手続補正４４】
【補正対象書類名】明細書
【補正対象項目名】００４９
【補正方法】削除
【補正の内容】
【手続補正４５】
【補正対象書類名】明細書
【補正対象項目名】００５０
【補正方法】削除
【補正の内容】
【手続補正４６】
【補正対象書類名】明細書
【補正対象項目名】００５１
【補正方法】削除
【補正の内容】
【手続補正４７】
【補正対象書類名】明細書
【補正対象項目名】００５２
【補正方法】削除
【補正の内容】
【手続補正４８】
【補正対象書類名】明細書
【補正対象項目名】００５３
【補正方法】削除
【補正の内容】
【手続補正４９】
【補正対象書類名】明細書
【補正対象項目名】００５４
【補正方法】削除
【補正の内容】
【手続補正５０】
【補正対象書類名】明細書
【補正対象項目名】００５５
【補正方法】削除
【補正の内容】
【手続補正５１】
【補正対象書類名】明細書
【補正対象項目名】００５６
【補正方法】削除
【補正の内容】
【手続補正５２】
【補正対象書類名】明細書
【補正対象項目名】００５７
【補正方法】削除
【補正の内容】
【手続補正５３】
【補正対象書類名】明細書
【補正対象項目名】００５８
【補正方法】削除
【補正の内容】
【手続補正５４】
【補正対象書類名】明細書
【補正対象項目名】００５９
【補正方法】削除
【補正の内容】
【手続補正５５】
【補正対象書類名】明細書
【補正対象項目名】００６０
【補正方法】削除
【補正の内容】
【手続補正５６】
【補正対象書類名】明細書
【補正対象項目名】００６１
【補正方法】削除
【補正の内容】
【手続補正５７】
【補正対象書類名】明細書
【補正対象項目名】００６２
【補正方法】削除
【補正の内容】
【手続補正５８】
【補正対象書類名】明細書
【補正対象項目名】００６３
【補正方法】削除
【補正の内容】
【手続補正５９】
【補正対象書類名】明細書
【補正対象項目名】００６４
【補正方法】削除
【補正の内容】
【手続補正６０】
【補正対象書類名】明細書
【補正対象項目名】００６５
【補正方法】削除
【補正の内容】
【手続補正６１】
【補正対象書類名】明細書
【補正対象項目名】００６６
【補正方法】削除
【補正の内容】
【手続補正６２】
【補正対象書類名】明細書
【補正対象項目名】００６７
【補正方法】削除
【補正の内容】
【手続補正６３】
【補正対象書類名】明細書
【補正対象項目名】００６８
【補正方法】削除
【補正の内容】
【手続補正６４】
【補正対象書類名】明細書
【補正対象項目名】００６９
【補正方法】削除
【補正の内容】
【手続補正６５】
【補正対象書類名】明細書
【補正対象項目名】００７０
【補正方法】削除
【補正の内容】
【手続補正６６】
【補正対象書類名】明細書
【補正対象項目名】００７１
【補正方法】削除
【補正の内容】